(57)【要約】      （修正有）【課題】成型品の段階で不要な肉を削る手間を省いて低コスト化を実現した棟瓦を提供する。【解決手段】略方形の２枚の板体２が上端位置で互いの縁部が連結されて所定の角度を持って斜状に下垂された側面視において略Λ状の左右対称の外形形状を有し、板体２の下端寄りには長手方向に沿って内方に屈曲形成された屈曲部４を備え、両板体２の一側端に嵌合雌部５を形成するとともに他側端が嵌合雄部６とされた棟瓦１において、対向する前記屈曲部４の長手方向に沿った外面４ａ，８ａ及び嵌合雌部５位置の同屈曲部の内面４ｂ，８ｂは平面形状に構成されるとともに、それら外面４ａ，８ａ及び内面４ｂ，８ｂは対称軸Ｌに平行に延出され、屋根上に配置された状態で当該棟瓦１の嵌合雌部５下端位置の同屈曲部４の内面８ｂは隣接配置される棟瓦１の嵌合雄部６の外面８ａに対面配置されるようにした。【選択図】図１
0003144795.tif 000002
【実用新案登録請求の範囲】
【請求項１】
略方形の２枚の板体が上端位置で互いの縁部が連結されて所定の角度を持って斜状に下垂された側面視において略Λ状の左右対称の外形形状を有し、
前記両板体の下端寄りには長手方向に沿って内方に屈曲形成された屈曲部を備え、
前記両板体の一側端に嵌合雌部を形成するとともに他側端が隣接配置される棟瓦の同嵌合雌部に挿入される嵌合雄部とされた棟瓦において、
対向する前記屈曲部の長手方向に沿った外面及び少なくとも前記嵌合雌部位置の同屈曲部の内面は平面形状に構成されるとともに、それら外面及び内面は対称軸に平行に延出され、
屋根上に配置された状態で当該棟瓦の前記嵌合雌部下端位置の同屈曲部の内面は隣接配置される棟瓦の前記嵌合雄部の外面に対面配置されることを特徴とする棟瓦。
【請求項２】
前記２枚の板体の角度は狭角であることを特徴とする請求項１に記載の棟瓦。
【考案の詳細な説明】
【技術分野】
【０００１】
本考案は、瓦屋根の棟上に設置される棟瓦に関するものである。
【背景技術】
【０００２】
洋瓦で葺いた片流れの屋根や勾配のきつい屋根の棟に設置する棟瓦として、従来から図４に示すような側面視において板体５０を上方で連結して略Λ状の左右対称の外形形状を有する棟瓦５１がある。板体の下端寄りには長手方向に沿って内方に屈曲形成された屈曲部５２とされている。棟瓦５１は左右いずれかの側に「ヒモ」と呼称される嵌合雌部５３を有している（「ヒモ」がある棟瓦をヒモツキと呼称する）。嵌合雌部５３の形成されている一側の反対側の側部は嵌合雌部５３に挿入される嵌合雄部５４とされている。
【考案の開示】
【考案が解決しようとする課題】
【０００３】
上記の棟瓦５１は図５に示すように成型品５５（乾燥・焼成前の柔らかい粘土のプレス品）の段階で人力によって嵌合雌部５３の屈曲部５２の内側の肉５６が削られている。この部位に肉５６があると設置の段階で隣接する棟瓦５１の嵌合雄部５４側の屈曲部５２と干渉してしまうため重ね合わせることができなってしまうため嵌合雄部５４の形状に合わせて削るわけである。この肉５６を削る作業工程は余分な工程ではあるが、この工程を省略するために初めから肉５６をなくした状態で成型品５５を成形することはできない。それは次のような理由による。
すなわち、棟瓦５１の成型品５５は図６に示すように上下の分割金型５７，５８でプレス成形されるのであるが、肉５６が初めからないとすると成型品５５は上側の金型５７に引っ掛かって離型させることはできない。そのため、従来では分割金型５７，５８を離型させるために不要な肉５６を盛ってあるわけである。
しかし、従来では上記のように人力によって嵌合雌部５３の肉５６を削る工程があるため、棟瓦５１の製造コストや作業効率の点で不利であった。
本考案は、このような従来の技術に存在する問題点に着目してなされたものである。その目的とするところは成型品の段階で不要な肉を削る手間を省いて低コスト化を実現した棟瓦を提供することにある。
【課題を解決するための手段】
【０００４】
上記の目的を達成するための第１の手段として、略方形の２枚の板体が上端位置で互いの縁部が連結されて所定の角度を持って斜状に下垂された側面視において略Λ状の左右対称の外形形状を有し、前記両板体の下端寄りには長手方向に沿って内方に屈曲形成された屈曲部を備え、前記両板体の一側端に嵌合雌部を形成するとともに他側端が隣接配置される棟瓦の同嵌合雌部に挿入される嵌合雄部とされた棟瓦において、対向する前記屈曲部の長手方向に沿った外面及び少なくとも前記嵌合雌部位置の同屈曲部の内面は平面形状に構成されるとともに、それら外面及び内面は対称軸に平行に延出され、屋根上に配置された状態で当該棟瓦の前記嵌合雌部下端位置の同屈曲部の内面は隣接配置される棟瓦の前記嵌合雄部の外面に対面配置されるようにした。
第２の手段では第１の手段に加え、前記２枚の板体の角度は狭角であるようにした。
【考案の効果】
【０００５】
上記各請求項の考案では、上下の分割金型で成型品を成形する際に離型することが可能であり、なおかつ成型品において嵌合雌部を嵌合雄部の形状に合わせて余分な肉を削る必要もないため、作業効率がよくなる。更に、屈曲部の外面全体を対称軸に平行な平面としたため、従来に比べて粘土量を削減することができコストの削減となる。更に、側面形状として屈曲部の長手方向全域の外面を平面形状としているため所望の挿入量で嵌合雄部っを嵌合雌部に挿入させることができる。
【考案を実施するための最良の形態】
【０００６】
以下、本考案の棟瓦を具体化した実施例を図面に基づいて説明する。以下の説明においては図２における図の左右方向を以て左右方向とするものとする。
図１及び図２に示すように、棟瓦１は略方形の２枚の板体２から構成された本体３を備えている。両板体２は上端位置で互いの縁部が連結されて所定の角度を持って斜状に下垂されて側面視において対称軸Ｌを挟んで略Λ状の左右対称の外形形状を有している。
本体３（両板体２）の下端寄りには長手方向に沿って内方に屈曲形成された屈曲部４が形成されている。屈曲部４は棟に設置した際の屋根面との当接部分となるとともに、雨水の浸入を防止する役割を担っている。
本体３の一側端には嵌合雌部５が形成されている。嵌合雌部５は本体３から外方に段違いに膨出した帯状の包囲部分である。嵌合雌部５の下端寄りも屈曲部８とされている。本体３の他側端には隣接配置される棟瓦の同嵌合雌部５に挿入される嵌合雄部６とされている。嵌合雄部６の外面６ａは嵌合雌部５の内面５ａと整合し、嵌合雄部６が嵌合雌部５内に挿入された状態で両面５ａ，６ａは近接あるいは接した状態で対面する。嵌合雄部６は嵌合雌部５と本体３との継ぎ目７を最深位置として嵌合雌部５内に挿入されることとなるため、適宜挿入（進出）量を調整した設置されることとなる。
屈曲部４，８の外面４ａ，８ａは平面形状に構成されるとともに対称軸Ｌに平行に延出されている。また、屈曲部４，８の内面４ｂ，８ｂも平面形状に構成されるとともに対称軸Ｌに平行に延出されている。
【０００７】
上記のように構成することで本実施例の棟瓦１では次のような効果を奏する。
（１）従来の棟瓦５１では図６に示すように、上下の分割金型５７，５８で離型させるために図５のように肉５６を削除していたが、本実施例では図３のように、上下の分割金型１０，１１で離型可能に棟瓦１の成型品１２を成形した場合にはそのままで嵌合雌部５と嵌合雄部６の形状が対応しているため、そのような肉を削り取る必要がなく、成型品１２の段階で行う工程が減ることとなり、その結果作業効率がアップすることとなる。
（２）屈曲部４，８の外面４ａ，８ａの全域を平面形状としたため、従来と比べて粘土量を削減することができ、コストダウンに貢献する。
（３）本体３側の屈曲部４の外面４ａは長手方向全域に形成されているため、嵌合雌部５を嵌合雌部５内に挿入した際の挿入量を調整した際に隣接する棟瓦１同士の接続部分になんら違和感を感ずることがない。
【図面の簡単な説明】
【０００８】
【図１】（ａ）及び（ｂ）はそれぞれ本考案の実施例の棟瓦の斜視図。
【図２】同じ実施例の棟瓦の正面図。
【図３】同じ実施例の棟瓦の成型品をプレス成形した状態を嵌合雌部側から見た説明図。
【図４】従来の棟瓦の斜視図。
【図５】従来の棟瓦において嵌合雌部の肉を削り取ることを説明する説明図。
【図６】従来の棟瓦の成型品をプレス成形した状態を嵌合雌部側から見た説明図。
【符号の説明】
【０００９】
１…棟瓦、２…板体、４，８…屈曲部、４ａ，８ａ…外面、４ｂ，８ｂ…内面、５…嵌合雌部、６…嵌合雄部。
【図１】
0003144795.tif 000003
【図２】
0003144795.tif 000004
【図３】
0003144795.tif 000005
【図４】
0003144795.tif 000006
【図５】
0003144795.tif 000007
【図６】
0003144795.tif 000008